(57)【要約】【課題】料理レシピシートを印刷出力するＭＦＰとＰＯＳ端末を連携動作させて、集客効果を高める商品販売価格計算システムを提供する。【解決手段】レジ係の店員は、料理レシピシート６０に印刷されているシート識別記号６１をＰＯＳ端末（２０）のバーコードリーダ等の読取装置によって読み取る。その後、購入商品のパッケージに貼付された識別記号（バーコード）を読み取り、購入商品の合計額を算出する。このとき、購入商品の中に、料理レシピシート６０の材料領域６３に印刷された食材がある場合には、当該商品の販売価格を自動的に所定の価格割引率で割り引く。【選択図】図３
2011118590.tif 000002
【特許請求の範囲】
【請求項１】
料理の名称と当該料理の食品材料を対応付けて記録する料理レシピデータベースを備え、当該料理レシピデータベースを参照し料理レシピシートを印刷する画像形成装置と、商品に貼付された当該商品の識別記号等を読み取る読取装置を備え、購入商品の合計金額を計算するＰＯＳ端末とが相互に接続されて構成される商品販売価格計算システムにおいて、
前記画像形成装置は、少なくとも料理レシピシートを識別するシート識別記号が印刷された料理レシピシートを印刷出力すると共に、当該料理レシピシートのシート識別記号及び当該料理レシピシートの料理の食品材料を識別する材料識別記号を前記ＰＯＳ端末に送信し、
前記ＰＯＳ端末は、前記画像形成装置から送信されたシート識別記号及び材料識別記号を対応付けて記録する記録部と、食品材料の材料識別記号と当該食品材料の価格割引率を対応付けて記録した割引率データベースとを備え、
前記読取装置によって読み取られた前記料理レシピシートのシート識別記号と前記記録部に記録された前記料理レシピシートのシート識別記号を照合し、両識別記号が一致した場合、前記読取装置によって読み取られた購入商品に貼付された識別記号が、前記照合により一致した前記料理レシピシートのシート識別記号に対応付けて前記記録部に記録された前記材料識別記号に該当する場合、前記割引率データベースを参照し、当該購入商品の価格割引率を適用して当該購入商品の販売価格を計算することを特徴とする商品販売価格計算システム。
【請求項２】
前記ＰＯＳ端末は、前記記録部に記録された材料識別記号の中で、前記読取装置によって読み取られた商品に貼付された識別記号に一致しない材料識別記号がある場合には、当該一致しない材料識別記号に該当する食品材料を表示出力及び／又は印刷出力することを特徴とする請求項１に記載の商品販売価格計算システム。
【請求項３】
料理の名称と当該料理の食品材料を対応付けて記録する料理レシピデータベースを備え、当該料理レシピデータベースを参照し料理レシピシートを印刷する画像形成装置と、商品に貼付された当該商品の識別記号等を読み取る読取装置を備え、購入商品の合計金額を計算するＰＯＳ端末とが相互に接続されて構成される商品販売価格計算システムにおいて、
前記ＰＯＳ端末は、少なくともレシートを識別するレシート識別記号が印刷されたレシートを印刷出力すると共に、当該レシートのレシート識別記号及び当該レシートに係る購入商品の材料識別記号を前記画像形成装置に送信し、
前記画像形成装置は、前記ＰＯＳ端末から送信されたレシート識別記号及び材料識別記号を対応付けて記録する記録部と、前記ＰＯＳ端末が印刷出力した前記レシートのレシート識別記号を入力する入力部とを備え、
前記入力部から入力されたレシート識別記号と前記記録部に記録された前記レシート識別記号を照合し、両識別記号が一致した場合、前記料理レシピデータベースを参照し、前記一致したレシート識別記号と対応付けて前記記録部に記録された材料識別記号に該当する食品材料から調理できる料理の料理レシピシートを印刷出力及び／又は表示出力することを特徴とする商品販売価格計算システム。
【請求項４】
前記画像形成装置は、前記一致したレシート識別記号と対応付けて前記記録部に記録された材料識別記号に該当する食品材料から調理できる料理に対応する材料識別記号の中で、前記記録部に記録された材料識別記号に一致しない材料識別記号がある場合には、前記料理の料理レシピシートを印刷出力及び／又は表示出力する際に、当該一致しない材料識別記号に該当する食品材料を強調表示出力及び／又は強調印刷出力することを特徴とする請求項３に記載の商品販売価格計算システム。
【発明の詳細な説明】
【技術分野】
【０００１】
本発明は、料理レシピシートを印刷出力する画像形成装置と、購入商品の合計金額を計算するＰＯＳ（Point-Of-Sales）端末とを相互に接続して連携動作させるシステムに関する。
【背景技術】
【０００２】
従来から、スーパー、デパート等の店舗に設置された多機能型画像形成装置（以下、ＭＦＰ：Multi Function Peripheralと記す）と同ＰＯＳ端末（ＰＯＳレジスターともいう）を連携させて様々なサービスを提供する方法が提案されている。例えば、特許文献１には、ＰＯＳ端末に設けられたプリンタに、顧客が使用したＭＦＰの料金明細書や領収書を印刷させるシステムが開示されている。このシステムにより、ＭＦＰの料金明細書や領収書を発行する専用プリンタが不要になり、コスト削減を図ることができる。
【０００３】
他にも、店舗に設置されたＭＦＰを用いて顧客に様々なサービスを提供する方法が提案されている。例えば、特許文献２には、店舗に設置されたＭＦＰを用いて料理レシピを印刷するシステムが開示されている。ここで、料理レシピとは、例えば、料理の写真、絵、図や、当該料理の食品材料、調理方法等から構成される料理作成方法情報を意味する。
【先行技術文献】
【特許文献】
【０００４】
【特許文献１】特開２００４−３５５５３０号公報
【特許文献２】特開平１１−５２８５８号公報
【発明の概要】
【発明が解決しようとする課題】
【０００５】
ところで、スーパー等では料理レシピ印刷サービスを顧客に提供することにより、集客を図っている。しかし、料理レシピ印刷だけでは、集客効果が弱く、さらに、集客効果を高める必要がある。また、他にも、ポイント還元セール等の割引サービスを顧客に提供して、集客を図っている。
【０００６】
このような状況下で、料理レシピ印刷とそれに関連する各種割引サービスを顧客に提供できれば、今まで以上に集客効果を高めることができると考えられる。
【０００７】
本発明は、かかる実情に鑑みてなされたものであり、料理レシピシートを印刷出力するＭＦＰとＰＯＳ端末を連携動作させて、集客効果を高める商品販売価格計算システムを提供することを目的とする。
【課題を解決するための手段】
【０００８】
第１の技術手段は、料理の名称と当該料理の食品材料を対応付けて記録する料理レシピデータベースを備え、当該料理レシピデータベースを参照し料理レシピシートを印刷する画像形成装置と、商品に貼付された当該商品の識別記号等を読み取る読取装置を備え、購入商品の合計金額を計算するＰＯＳ端末とが相互に接続されて構成される商品販売価格計算システムにおいて、前記画像形成装置は、少なくとも料理レシピシートを識別するシート識別記号が印刷された料理レシピシートを印刷出力すると共に、当該料理レシピシートのシート識別記号及び当該料理レシピシートの料理の食品材料を識別する材料識別記号を前記ＰＯＳ端末に送信し、前記ＰＯＳ端末は、前記画像形成装置から送信されたシート識別記号及び材料識別記号を対応付けて記録する記録部と、食品材料の材料識別記号と当該食品材料の価格割引率を対応付けて記録した割引率データベースとを備え、前記読取装置によって読み取られた前記料理レシピシートのシート識別記号と前記記録部に記録された前記料理レシピシートのシート識別記号を照合し、両識別記号が一致した場合、前記読取装置によって読み取られた購入商品に貼付された識別記号が、前記照合により一致した前記料理レシピシートのシート識別記号に対応付けて前記記録部に記録された前記材料識別記号に該当する場合、前記割引率データベースを参照し、当該購入商品の価格割引率を適用して当該購入商品の販売価格を計算することを特徴とする商品販売価格計算システムである。
【０００９】
第２の技術手段は、第１の技術手段において、前記ＰＯＳ端末は、前記記録部に記録された材料識別記号の中で、前記読取装置によって読み取られた商品に貼付された識別記号に一致しない材料識別記号がある場合には、当該一致しない材料識別記号に該当する食品材料を表示出力及び／又は印刷出力することを特徴とするものである。
【００１０】
第３の技術手段は、料理の名称と当該料理の食品材料を対応付けて記録する料理レシピデータベースを備え、当該料理レシピデータベースを参照し料理レシピシートを印刷する画像形成装置と、商品に貼付された当該商品の識別記号等を読み取る読取装置を備え、購入商品の合計金額を計算するＰＯＳ端末とが相互に接続されて構成される商品販売価格計算システムにおいて、前記ＰＯＳ端末は、少なくともレシートを識別するレシート識別記号が印刷されたレシートを印刷出力すると共に、当該レシートのレシート識別記号及び当該レシートに係る購入商品の材料識別記号を前記画像形成装置に送信し、前記画像形成装置は、前記ＰＯＳ端末から送信されたレシート識別記号及び材料識別記号を対応付けて記録する記録部と、前記ＰＯＳ端末が印刷出力した前記レシートのレシート識別記号を入力する入力部とを備え、前記入力部から入力されたレシート識別記号と前記記録部に記録された前記レシート識別記号を照合し、両識別記号が一致した場合、前記料理レシピデータベースを参照し、前記一致したレシート識別記号と対応付けて前記記録部に記録された材料識別記号に該当する食品材料から調理できる料理の料理レシピシートを印刷出力及び／又は表示出力することを特徴とする商品販売価格計算システムである。
【００１１】
第４の技術手段は、第３の技術手段において、前記画像形成装置は、前記一致したレシート識別記号と対応付けて前記記録部に記録された材料識別記号に該当する食品材料から調理できる料理に対応する材料識別記号の中で、前記記録部に記録された材料識別記号に一致しない材料識別記号がある場合には、前記料理の料理レシピシートを印刷出力及び／又は表示出力する際に、当該一致しない材料識別記号に該当する食品材料を強調表示出力及び／又は強調印刷出力することを特徴とするものである。
【発明の効果】
【００１２】
本発明により、店舗に設置されたＭＦＰにより印刷された料理レシピシートの料理を作るのに必要な商品の価格割引を行うことができる。他にも、購入した商品から調理できる料理レシピを顧客に提示して、その料理レシピのプリント料金を無料、または、割り引くことができる。その結果、集客効果を高めることができる。
【図面の簡単な説明】
【００１３】
【図１】本発明に係る商品販売価格計算システムの構成図である。
【図２】料理レシピ画面の一例である。
【図３】料理レシピシートの一例である。
【図４】本発明に係るＭＦＰ、ＰＯＳ端末の機能ブロック図である。
【図５】料理レシピテーブルの一例である。
【図６】材料割引率テーブルの一例である。
【図７】料理レシピシートの印刷処理を説明するフロー図である。
【図８】販売価格算出処理を説明するフロー図である。
【図９】料理レシピシートの料理を調理するのに不足する食材がある場合に表示される画面等を示す図である。
【図１０】本発明に係るＭＦＰ、ＰＯＳ端末の他の機能ブロック図である。
【図１１】レシート識別記号が印刷されたレシートである。
【図１２】レシート識別記号等の印刷、送信処理を説明するフロー図である。
【図１３】レシートに基づき料理レシピシートを印刷する処理を説明する処理を説明するフロー図である。
【図１４】料理レシピ画面の他の例である。
【発明を実施するための形態】
【００１４】
（実施例１）
図１は、本発明に係る商品販売価格計算システム１の構成図である。
商品販売価格計算システム１は、少なくとも画像形成機能を有するＭＦＰ１０、商品に貼付された当該商品の識別記号、例えばバーコードを読み取るバーコードリーダを備えたＰＯＳ端末２０から構成され、これらは接続ラインＬ等を介して相互に接続されている。ＭＦＰ１０、ＰＯＳ端末２０は、スーパー、デパート等の店舗に設置される。
【００１５】
スーパーの顧客がスーパーに設置されているＭＦＰ１０に設けられた操作パネルを操作し、図２に示す料理レシピ画面を表示パネルに表示する。
【００１６】
図２は、ＭＦＰ１０の表示パネルに表示される料理レシピ画面５０の一例を示す図である。図示のように、料理レシピ画面５０の料理イメージ領域５１には料理の写真等のイメージが表示され、材料領域５２には、食材、調味料等の前記料理の食品材料（以下、食材と記す）が表示される。
【００１７】
顧客は、画面左のメニュー選択ボタン５３を操作して、表示パネルに所望の料理レシピを表示させる。なお、メニュー選択ボタン５３ではなく、検索ボックス５４に食材名等を入力し、この食材から作ることができる料理のレシピを表示させてもよい。
【００１８】
顧客が所望の料理レシピを選択して、スタートキー（印刷開始キー）を操作すると、選択された料理レシピが印刷出力される。なお、顧客は既に、ＭＦＰ１０のコインボックス（料金徴収装置）に料理レシピの印刷代金を投入しているものとする。
【００１９】
図３は、印刷出力された料理レシピシート６０の一例を示す図である。図示のように、料理レシピシート６０の左上隅に料理レシピシート６０を識別するシート識別記号６１が印刷される。シート識別記号６１としては、例えば、バーコード、ＱＲコード等の様々なコードを利用することができる。
料理イメージ領域６２には料理の写真等が、材料領域６３には、食材名が印刷される。
調理手順領域６４には、料理イメージ領域６２に印刷された料理の調理手順が印刷される。
【００２０】
その後、顧客は、料理レシピシート６０を確認しながら、店内を移動して必要な食材を含む様々な商品（購入商品）を選び、ＰＯＳ端末２０が設置されたレジで精算する。このとき、顧客は、レジ係の店員に料理レシピシート６０を提示する。
【００２１】
レジ係の店員は、料理レシピシート６０に印刷されているシート識別記号６１をＰＯＳ端末２０のバーコードリーダ等の読取装置によって読み取る。
その後、購入商品のパッケージに貼付された識別記号（バーコード）を読み取り、購入商品の合計額を算出する。このとき、購入商品の中に、料理レシピシート６０の材料領域６３に印刷された食材がある場合には、当該商品の販売価格を自動的に所定の価格割引率で割り引く。
【００２２】
例えば、顧客が、料理レシピシート６０の材料領域６３に印刷されている食材１、食材２、食材３を購入し、その他、食材Ｘ、食材Ｙ、食材Ｚを購入するとする。この場合、料理レシピシート６０の材料領域６３に印刷されている食材１〜食材３の販売価格をそれぞれ所定の価格割引率で割り引く。なお、食材１〜食材３以外の商品である食材Ｘ〜食材Ｚの販売価格については割り引かない。
【００２３】
図４は、ＭＦＰ１０、ＰＯＳ端末２０の機能ブロック図である。なお、図示はしないがＭＦＰ１０、ＰＯＳ端末２０は、接続ラインＬ等を介して接続されている（図１参照）。
【００２４】
（ＭＦＰ１０）
ＭＦＰ１０の機能ブロックについて説明する。
１０１は、ネットワークＩ／Ｆで、接続ラインＬ（図１参照）に対するインターフェイス機能を提供し、接続ラインＬに接続しているＰＯＳ端末２０とデータ送受信を実行する。
【００２５】
１０２は、テンキー、スタートキー等から構成される操作パネル、１０３は、液晶パネル等から構成される表示パネルである。なお、表示パネル１０３はタッチパネルとしても機能する。
【００２６】
１０４は、ＡＤＦ等を備えたスキャナ、１０５は、印刷処理を行う画像形成部、１０６は、各種データを記録するＨＤＤ（Hard Disk Drive）である。
【００２７】
１１１は、料理レシピデータベースで、少なくとも、料理の名称と当該料理の食材を対応付けて記録する。本実施例では、料理名、料理のイメージデータ（写真データ）、料理の食材、料理の調理手順、当該食材を識別する識別記号をテーブル形式で記録している。
【００２８】
図５は、料理レシピデータベース１１１の記録形式を説明する料理レシピテーブル７１で、料理の名称欄には料理の名称、料理のイメージデータ欄には料理のイメージデータの記録先情報（ファイルパス）、食材名欄には前記料理の食材名、食材の識別記号欄には前記食材を識別する材料識別記号、調理手順欄には前記料理の調理手順が記録されている。
【００２９】
図４の１１２は、シート識別記号生成部で、料理レシピシートを識別するシート識別記号を生成する。シート識別記号は、後述の送受信処理制御部、及び、料理レシピ印刷処理制御部に出力される。
【００３０】
１１３は、送受信処理制御部で、各種データの送受信処理を制御する。例えば、シート識別記号生成部１１２が生成した料理レシピシートのシート識別記号、及び、当該料理レシピシートの料理の食材を識別する材料識別記号をＰＯＳ端末２０に送信する処理を制御する。
【００３１】
１１４は、料理レシピ表示処理制御部で、料理レシピデータベース１１１を参照して、表示用の料理レシピデータを生成し、表示パネル１０３に出力する。表示パネル１０３は、表示用の料理レシピデータに基づき、料理レシピの表示を行う。ここでは、例えば、図２の料理レシピ画面５０が表示パネル１０３に表示される。
【００３２】
１１５は、料理レシピ印刷処理制御部で、料理レシピデータベース１１１を参照して、印刷用の料理レシピデータを生成し、画像形成部１０５に出力する。このとき、シート識別記号生成部１１２が生成したシート識別記号を前記印刷用の料理レシピデータに含める。画像形成部１０５は、印刷用の料理レシピデータに基づき、料理レシピの印刷を行う。ここでは、例えば、図３の料理レシピシート６０が印刷される。
【００３３】
１２１は、各機能ブロックを制御する制御部である。なお、図示はしないが、ＭＦＰ１０には、コインボックスが設けられ、制御部１２１はコインボックスに投入された金額に応じて印刷処理の実行を制御する。
【００３４】
（ＰＯＳ端末２０）
ＰＯＳ端末２０の機能ブロックについて説明する。
２０１は、ネットワークＩ／Ｆで、接続ラインＬに対するインターフェイス機能を提供し、接続ラインＬに接続しているＭＦＰ１０とデータ送受信を実行する。
【００３５】
２０２は、商品に貼付された当該商品の識別記号（バーコード）や料理レシピシート６０のシート識別記号６１を読み取る読取装置（バーコードリーダ）で、バーコード読み取り処理を実行するハードウェアである。
【００３６】
２０３は、テンキー等から構成される操作パネル、２０４は、液晶パネル等から構成される表示パネルである。
２０５は、レシート等の印刷を行う画像形成部である。
【００３７】
２１１は、材料割引率データベースで、少なくとも、食材を識別する材料識別記号と当該食材の価格割引率を対応付けて記録する。本実施例では、図５の料理レシピテーブル７１に記録されている料理名、同食材、当該食材を識別する材料識別記号、顧客が当該食材を購入した場合に適用される価格割引率をテーブル形式で記録している。
【００３８】
図６は、材料割引率データベース２１１の記録形式を説明する材料割引率テーブル７２で、料理の名称欄には料理の名称、食材名欄には前記料理の食材名、食材の識別記号欄には前記食材を識別する材料識別記号、割引率欄には前記食材の価格割引率が記録されている。
【００３９】
図４の２１２は、送受信処理制御部で、各種データの送受信処理を制御する。例えば、ＭＦＰ１０から送信されたシート識別記号及び材料識別記号を受信する処理を制御する。
【００４０】
２１３は、識別記号記録部で、送受信処理制御部２１２が受信したシート識別記号及び材料識別記号を対応付けて記録する。
【００４１】
２１４は、照合部で、読取装置２０２によって読み取られた料理レシピシートのシート識別記号と識別記号記録部２１３に記録された料理レシピシートのシート識別記号を照合し、両識別記号が一致するか否かを確認する。
【００４２】
２１５は、割引率特定部で、照合部２１４が前記両識別記号の一致を確認し、かつ、読取装置２０２によって読み取られた購入商品に貼付された識別記号（バーコード）が、前記照合により一致した料理レシピシートのシート識別記号に対応付けて識別記号記録部２１３に記録された材料識別記号に該当する場合には、材料割引率データベース２１１を参照し、当該購入商品の価格割引率を特定する。なお、割引率特定処理の詳細については後述する。
【００４３】
２１６は、計算部で、読取装置２０２によって読み取られた、顧客の購入商品のパッケージに貼付された識別記号に基づく商品価格を順次加算して購入商品の合計金額を計算する。このとき、前記購入商品（食材）が図３の料理レシピシート６０に印刷されている食材の場合には、顧客の購入商品の販売価格に割引率特定部２１５によって特定された当該商品の価格割引率を適用し、前記顧客の購入商品の合計金額を計算する。合計金額は、表示パネル２０４、画像形成部２０５に出力される。なお、計算の詳細については後述する。
【００４４】
２２１は、各機能ブロックを制御する制御部である。なお、制御部２２１の不足食材特定部の機能については、後述する。
【００４５】
次に、料理レシピシート６０の印刷処理、材料の価格割引率特定処理を、図７、図８のフロー図を用いて説明する。
【００４６】
図７は、料理レシピシート６０の印刷処理を説明するフロー図である。
スーパーの顧客がスーパーに設置されているＭＦＰ１０の操作パネル１０２を操作し、ＭＦＰ１０に料理レシピ画面５０の表示を指示する（ステップＳ１）。
【００４７】
顧客からの表示指示を、操作パネル１０２を介して受け付けた料理レシピ表示処理制御部１１４は、料理レシピデータベース１１１を参照して、表示用の料理レシピデータを生成し、表示パネル１０３に出力する。ここでは、料理レシピ表示処理制御部１１４は、例えば、図２の料理レシピ画面５０を表示パネル１０３に表示する（ステップＳ２）。なお、このとき、顧客はコインボックスに印刷料金を投入しているとする。
【００４８】
顧客が料理レシピ画面５０のメニュー選択ボタン５３を操作して、所望の料理レシピを選択し、スタートキー（印刷開始キー）を操作する（ステップＳ３）。すると、シート識別記号生成部１１２は、料理レシピシートの識別記号を生成し（ステップＳ４）、料理レシピ印刷処理制御部１１５に出力する。
【００４９】
料理レシピ印刷処理制御部１１５は、料理レシピデータベース１１１に記録された料理レシピデータを参照し、顧客が選択した料理レシピに対応する印刷用の料理レシピデータを生成し、画像形成部１０５に出力する。このとき、シート識別記号生成部１１２が生成したシート識別記号を前記印刷用の料理レシピデータに含める。画像形成部１０５は、前記印刷用の料理レシピデータを印刷出力する。ここでは、画像形成部１０５は、図３の料理レシピシート６０を印刷出力する（ステップＳ５）。
【００５０】
そして、送受信処理制御部１１３は、料理レシピシートの識別記号及び料理レシピシートの料理に対応する材料識別記号をＰＯＳ端末２０に送信する（ステップＳ６）。前記料理レシピシートの料理に対応する材料識別記号は、料理レシピデータベース１１１（図５の料理レシピテーブル７１）に記録された当該料理レシピシートの料理に対応する材料識別記号である。
ここでは、前記材料識別記号は、図３の料理レシピシート６０に記録された食材１〜食材６、調味料１〜調味料３の材料識別記号となる。
【００５１】
ＰＯＳ端末２０の送受信処理制御部２１２は、前記料理レシピシートのシート識別記号及び材料識別記号を受信し（ステップＳ７）、両識別記号を識別記号記録部２１３に出力する。識別記号記録部２１３は、前記両識別記号を対応付けて記録する（ステップＳ８）。
【００５２】
図８は、販売価格算出処理を説明するフロー図である。
料理レシピシート６０を得た顧客は、料理レシピシート６０を確認しながら、店内を移動して必要な食材を含む様々な商品を選び、ＰＯＳ端末２０が設置されたレジに持って行く（ステップＳ１１）。このとき、顧客は、レジ係の店員に料理レシピシート６０を提示する。ここでは、顧客は、前述のように、料理レシピシート６０の材料領域６３に印刷されている食材１、食材２、食材３を購入し、その他、食材Ｘ、食材Ｙ、食材Ｚを購入するとする。
【００５３】
レジ係の店員は、まず、料理レシピシート６０に印刷されているシート識別記号６１をＰＯＳ端末２０の読取装置２０２によって読み取る（ステップＳ１２）。読取装置２０２は、照合部２１４に読み取ったシート識別記号６１を出力する。
【００５４】
次に、レジ係の店員は、顧客がレジに持ってきた商品のパッケージに貼付されている識別記号（バーコード）を商品毎にＰＯＳ端末２０の読取装置２０２によって読み取る（ステップＳ１３）。読取装置２０２は、割引率特定部２１５、計算部２１６に読み取った識別記号を出力する。
【００５５】
同時に、照合部２１４は、読取装置２０２によって読み取られた料理レシピシート６０のシート識別記号６１と識別記号記録部２１３に記録された料理レシピシートのシート識別記号を照合し、両識別記号が一致するか否かを確認する（ステップＳ１４）。
【００５６】
一致が確認できた場合（ステップＳ１５／ＹＥＳ）、割引率特定部２１５は、読取装置２０２によって読み取られた購入商品に貼付された識別記号が、前記照合により一致した料理レシピシートのシート識別記号に対応付けて識別記号記録部２１３に記録された材料識別記号に該当するか否かを判定する（ステップＳ１６）。
【００５７】
読取装置２０２によって読み取られた購入商品に貼付された識別記号が、前記照合により一致した料理レシピシートのシート識別記号に対応付けて識別記号記録部２１３に記録された材料識別記号に該当する場合（ステップＳ１７／ＹＥＳ）、材料割引率データベース２１１を参照し、当該購入商品の価格割引率を特定し（ステップＳ１８）、計算部２１６に出力する。
【００５８】
計算部２１６は、ステップＳ１８で特定した当該購入商品の価格割引率を適用して前記購入商品の販売価格を計算し（ステップＳ１９）、購入商品の合計額に順次加算する（ステップＳ２０）。
【００５９】
なお、読取装置２０２によって読み取られた購入商品に貼付された識別記号が、前記照合により一致した料理レシピシートのシート識別記号に対応付けて識別記号記録部２１３に記録された材料識別記号に該当しない場合（ステップＳ１７／ＮＯ）、ステップＳ１８，Ｓ１９の処理を省略し、ステップＳ２０の処理、すなわち購入商品の販売価格（割り引かない）を合計額に順次加算する処理を実行する。
【００６０】
顧客の全購入商品についての識別記号読み取り処理が終了するまで（ステップＳ２１／ＮＯ）、ステップＳ１３〜ステップＳ２０の処理を実行する。なお、ステップＳ１４、Ｓ１５において、一度、両シート識別記号の一致が確認できれば、以後、確認処理を省略してもよい。
【００６１】
そして、顧客の全購入商品についての識別記号読み取り処理が終了すると（ステップＳ２１／ＹＥＳ）、計算部２１６は、合計金額を表示パネル２０４等に出力する（ステップＳ２２）。
【００６２】
前述の例では、読取装置２０２によって読み取られた顧客の購入商品の識別記号は、食材１〜食材３の識別記号、及び、食材Ｘ〜食材Ｚの識別記号であり、識別記号記録部２１３には食材１〜食材６の材料識別記号、及び、調味料１〜調味料３の材料識別記号（料理レシピシート６０の料理を調理するのに必要な食材）が記録されているので、割引率特定部２１５は、材料割引率データベース２１１（図６の材料割引率テーブル７２）を参照し、食材１〜食材３の価格割引率を特定する。ここでは、食材１〜食材３の価格割引率は、それぞれ１０％、１５％、１０％となる。
【００６３】
そして、食材１、食材２、食材３、食材Ｘ、食材Ｙ、食材Ｚの価格（割引前）がそれぞれＦ１、Ｆ２、Ｆ３、ＦＸ、ＦＹ、ＦＺの場合、合計金額Ｔは、
Ｔ＝Ｆ１×０．９＋Ｆ２×０．８５＋Ｆ３×０．９＋ＦＸ＋ＦＹ＋ＦＺ（円）
となる。
【００６４】
なお、ステップＳ１５で、一致が確認できない場合（ステップＳ１５／ＮＯ）、購入商品のパッケージに貼付されている識別記号を商品毎に読取装置２０２によって読み取り、合計金額を算出する（ステップＳ２３）。すなわち、通常の販売価格合計処理を実行する。
【００６５】
このようにすることで、料理レシピシートを提供するだけでなく、料理レシピシートの料理を作るのに必要な商品の価格割引を行うので、集客効果が向上する。
【００６６】
他にも、料理レシピシートの料理を調理するのに不足する食材がある場合、図９（Ａ）に示すように、ＰＯＳ端末２０の表示パネル２０４に前記不足する食材を表示してもよい。前述の例では、顧客は食材４〜食材６等を購入していないので、その食材が表示出力される。また、図９（Ｂ）に示すように、レシートに前記不足する食材を印刷出力してもよい。なお、必要な調味料１〜調味料３も同時に表示出力、印刷出力してもよい。
【００６７】
前記不足する食材の特定は制御部（不足食材特定部）２２１によって実行される。制御部２２１は、識別記号記録部２１３に記録された材料識別記号の中で、読取装置２０２によって読み取られた商品に貼付された識別記号に一致しない材料識別記号を特定する。
そして、特定した材料識別記号の食材名を含む表示データ及び／又は印刷データを生成し、表示パネル２０４及び／又は画像形成部２０５に出力する。
【００６８】
前述の例では、識別記号記録部２１３に記録された材料識別記号は、食材１〜食材６の材料識別記号、及び、調味料１〜調味料３の材料識別記号であり、読取装置２０２によって読み取られた商品に貼付された識別記号は、食材１〜食材３の識別記号、食材Ｘ〜食材Ｚの材料識別記号である。
【００６９】
したがって、識別記号記録部２１３に記録された材料識別記号の中で、読取装置２０２によって読み取られた商品に貼付された識別記号に一致しない材料識別記号は、食材４〜食材６の材料識別記号、及び、調味料１〜調味料３の材料識別記号であり、当該一致しない材料識別記号に該当する食材、すなわち食材４〜食材６、及び、調味料１〜調味料３が表示出力及び／又は印刷出力されることになる。なお、図９の例では、調味料１〜調味料３の表示については省略している。
【００７０】
このようにすることで、顧客に商品購入を促すことができ、売上げ向上を図ることができる。
【００７１】
（実施例２）
他にも様々な方法で集客効果を向上させることができる。
図１０は、本発明に係る他の商品販売価格計算システム２を構成するＭＦＰ３０、ＰＯＳ端末４０の機能ブロック図である。
【００７２】
（ＰＯＳ端末４０）
まず、ＰＯＳ端末４０の機能ブロックについて説明する。
ネットワークＩ／Ｆ４０１、読取装置４０２、操作パネル４０３、表示パネル４０４、画像形成装部４０５、材料割引率データベース４１１、制御部４２１の機能は、それぞれ、図４のネットワークＩ／Ｆ２０１、読取装置２０２、操作パネル２０３、表示パネル２０４、画像形成装部２０５、材料割引率データベース２１１、制御部２２１の機能と同様なのでその説明を省略する。
【００７３】
４１２は、識別記号生成部で、ＰＯＳ端末４０が出力するレシートを識別するレシート識別記号、及び、顧客の購入商品の材料識別記号、つまり、前記レシートに係る購入商品の材料識別記号を生成する。前記レシートに係る購入商品の材料識別記号は、読取装置４０２が読み取った顧客の購入商品に貼付された識別記号そのものでもよい。前記識別記号は、後述の送受信処理制御部、及び、レシート印刷処理制御部に出力される。
【００７４】
４１３は、送受信処理制御部で、各種データの送受信処理を制御する。例えば、識別記号生成部４１２が生成したレシートのレシート識別記号及び当該レシートに係る購入商品の材料識別記号をＭＦＰ３０に送信する処理を制御する。
【００７５】
４１４は、レシート印刷処理制御部で、識別記号生成部４１２が生成したレシート識別記号を含む印刷用のレシートデータを生成する処理等を制御する。前記レシート識別記号を含む印刷用のレシートデータに基づき、例えば、図１１に示すレシート８０が印刷される。レシート８０には、レシート８０を識別するレシート識別記号８１、合計金額８２、購入した商品（食材）の名称８３が印刷されている。
【００７６】
４１５は、計算部で、顧客の購入商品の合計金額を計算する。
【００７７】
（ＭＦＰ３０）
次に、ＭＦＰ３０の機能ブロックについて説明する。
ネットワークＩ／Ｆ３０１、操作パネル３０２、表示パネル３０３、スキャナ３０４、画像形成部３０５、ＨＤＤ３０６、料理レシピデータベース３１１、制御部３２１の機能は、それぞれ、図４のネットワークＩ／Ｆ１０１、操作パネル１０２、表示パネル１０３、スキャナ１０４、画像形成部１０５、ＨＤＤ１０６、料理レシピデータベース１１１、制御部１２１の機能と同様なのでその説明を省略する。
【００７８】
３１２は、送受信処理制御部で、各種データの送受信処理を制御する。例えば、ＭＦＰ３０から送信されたレシートのレシート識別記号及び当該レシートに係る購入商品の材料識別記号を受信する処理を制御する。
【００７９】
３１３は、識別記号記録部で、送受信処理制御部３１２が受信したレシート識別記号及び購入商品の材料識別記号を対応付けて記録する。
【００８０】
３１４は、レシート識別記号入力部で、レシート識別記号をＭＦＰ３０に入力する手段を備える。入力手段としては、例えば、ＭＦＰ３０のスキャナ３０４に設けられたＡＤＦにレシート８０をセットし、操作パネル３０２のスタートキーを操作することにより、スキャンされたレシート８０からレシート識別記号８１を抽出してもよい。他にも、バーコードリーダ等から入力してもよい。また、レシート識別記号がテキスト文字の場合には、操作パネル３０２を操作して識別記号を入力してもよい。
【００８１】
３１５は、照合部で、レシート識別記号入力部３１４から入力されたレシート識別記号と識別記号記録部３１３に記録されたレシート識別記号を照合し、両識別記号が一致するか否かを確認する。
【００８２】
３１６は、特定部で、照合部３１５が両識別記号の一致を確認した場合、料理レシピデータベース３１１を参照し、前記一致したレシート識別記号と対応付けて識別記号記録部３１３に記録された材料識別記号に該当する食材から調理できる料理を特定する。
【００８３】
３１７は、料理レシピ表示処理制御部で、図４の料理レシピ表示処理制御部１１４と同一機能を備えると共に、特定部３１６が特定した料理の料理レシピシートを表示する処理を実行する。
【００８４】
３１８は、料理レシピ印刷処理制御部で、図４の料理レシピ印刷処理制御部１１５と同一機能を備えると共に、特定部３１６が特定した料理の料理レシピシートを印刷する処理を実行する。
【００８５】
図１２は、レシート識別記号等の印刷、送信処理を説明するフロー図である。
顧客は、実施例１の説明とは異なり、ＭＦＰ３０で料理レシピシートを印刷せずに、店舗内の商品を選び、ＰＯＳ端末４０が設置されたレジで精算する。ここでは、食材１〜食材３を購入するとする。
【００８６】
レジ係の店員が、購入商品（食材１〜食材３）のパッケージに印刷された識別記号を読取装置４０２によって読み取ると（ステップＳ３１）、読取装置４０２は、読み取った識別記号を識別記号生成部４１２、計算部４１５に出力する。ここで、全購入商品の識別記号の読み取りが終了したとする。
【００８７】
識別記号生成部４１２は、レシートを識別するレシート識別記号、及び、当該レシートに係る購入商品の材料識別記号、つまり、顧客の購入商品の材料識別記号を生成する（ステップＳ３２）。なお、ここでは、前記レシートに係る購入商品の材料識別記号は、読取装置４０２が出力した識別記号であるとする。
【００８８】
レシート印刷処理制御部４１４は、識別記号生成部４１２が生成したレシート識別記号及び計算部４１５が計算した購入商品の合計金額を含む印刷用のレシートデータを生成し（ステップＳ３３）、画像形成装部４０５に出力する。画像形成装部４０５は、前記レシートデータを印刷出力する（ステップＳ３４）。ここでは、図１１に示すレシート８０が印刷されるとする。
【００８９】
同時に、送受信処理制御部４１３は、識別記号生成部４１２が生成したレシート識別記号及び顧客の購入商品の材料識別記号をＭＦＰ３０に送信する（ステップＳ３５）。
前述の例では、レシート８０のレシート識別記号８１及び食材１〜食材３（購入商品）の材料識別記号が送信される。
【００９０】
ＭＦＰ３０の送受信処理制御部３１２は、前記レシート識別記号及び材料識別記号を受信し（ステップＳ３６）、両識別記号を識別記号記録部３１３に出力する。識別記号記録部３１３は、前記両識別記号を対応付けて記録する（ステップＳ３７）。
【００９１】
図１３は、前記レシートに基づき料理レシピシートを印刷する処理を説明する処理を説明するフロー図である。
顧客は、レジ係の店員に全購入商品の合計金額を支払った後、当該店員からレシート８０を受け取り、ＭＦＰ３０に向かう。
そして、顧客は、ＭＦＰ３０のレシート識別記号入力部３１４を介して、レシート８０に印刷されたレシート識別記号を入力する（ステップＳ４１）。具体的には、ＭＦＰ３０のスキャナ３０４に設けられたＡＤＦにレシート８０をセットし、操作パネル３０２のスタートキーを操作する。すると、スキャナ３０４は、レシート８０をスキャンしスキャンデータ（画像データ）をレシート識別記号入力部３１４に出力する。前記スキャンデータを受信したレシート識別記号入力部３１４は、スキャンデータからレシート識別記号を抽出し、照合部３１５に出力する。
【００９２】
照合部３１５は、レシート識別記号入力部３１４から入力されたレシート識別記号と識別記号記録部３１３に記録されたレシート識別記号を照合し、両識別記号が一致するか否かを確認する（ステップＳ４２）。
【００９３】
一致が確認できた場合（ステップＳ４３／ＹＥＳ）、特定部３１６は、料理レシピデータベース３１１を参照し、前記一致したレシート識別記号と対応付けて識別記号記録部３１３に記録された材料識別記号に該当する食材から調理できる料理を特定し（ステップＳ４４）、料理レシピ表示処理制御部３１７に出力する。ここでは、識別記号記録部３１３には、食材１〜食材３の材料識別記号が記録されているので、当該材料識別記号に該当する食材（食材１〜食材３）から調理できる料理“ＡＡＢＢ”（図５参照）が特定される。
【００９４】
料理レシピ表示処理制御部３１７は、特定部３１６が特定した料理の料理レシピシートを表示する処理を実行する（ステップＳ４５）。ここでは、例えば、図１４の料理レシピ画面５０’が表示パネル３０３に表示される。
【００９５】
このとき、特定した料理を作るのに必要な食材が不足する場合、その食材（未購入の食材）を、符号Ｐに示すように、点滅や、太字や、色変更して強調表示してもよい。
この強調表示は、料理レシピ表示処理制御部３１７が実行する。以下に、強調表示処理の詳細について説明する。
前述の例の場合、特定部３１６が、料理レシピデータベース３１１を参照して、前記一致したレシート識別記号と対応付けて識別記号記録部３１３に記録された材料識別記号に該当する食材から調理できる料理を特定する。
前述の例では、前記一致したレシート識別記号と対応付けて識別記号記録部３１３に記録された材料識別記号は、食材１〜食材３の材料識別記号であるから当該材料識別記号に該当する食材から調理できる料理は、“ＡＡＢＢ”である。
【００９６】
そして、特定された料理に対応する材料識別記号の中で識別記号記録部３１３に記録された材料識別記号に一致しない材料識別記号があるか否かを判定する。そして、一致しない材料識別記号がある場合には、前記料理の料理レシピシートを表示出力する際に、当該一致しない材料識別記号に該当する食材を強調表示出力する。
前述の例では、前記特定された料理に対応する材料識別記号は、食材１〜食材６の材料識別記号、及び、調味料１〜調味料３の材料識別記号であり、識別記号記録部３１３に記録された材料識別記号は、食材１〜食材３の材料識別記号であるから、一致しない材料識別記号に該当する食材である食材４〜食材６、調味料１〜調味料３が強調表示出力される。
【００９７】
そして、顧客が操作パネル３０２のスタートキー（印刷キー）を操作すると、実施例１で説明したように、料理レシピシート（図３参照）が印刷出力される。この料理レシピシートでは、前記不足する食材が強調印刷出力されている。
【００９８】
このとき、集客効果を高めるため、料理レシピシートの全ページの印刷を無料にしてもよいし、最初の１枚の印刷を無料にしてもよい。
【符号の説明】
【００９９】
１，２…商品販売価格計算システム、１０…ＭＦＰ、１０１…ネットワークＩ／Ｆ、１０２…操作パネル、１０３…表示パネル、１０４…スキャナ、１０５…画像形成部、１０６…ＨＤＤ、１１１…料理レシピデータベース、１１２…シート識別記号生成部、１１３…送受信処理制御部、１１４…料理レシピ表示処理制御部、１１５…料理レシピ印刷処理制御部、１２１…制御部、２０…ＰＯＳ端末、２０１…ネットワークＩ／Ｆ、２０２…読取装置、２０３…操作パネル、２０４…表示パネル、２０５…画像形成部、２１１…材料割引率データベース、２１２…送受信処理制御部、２１３…識別記号記録部、２１４…照合部、２１５…割引率特定部、２１６…計算部、２２１…制御部、３０…ＭＦＰ、３０１…ネットワークＩ／Ｆ、３０２…操作パネル、３０３…表示パネル、３０４…スキャナ、３０５…画像形成部、３０６…ＨＤＤ、３１１…料理レシピデータベース、３１２…送受信処理制御部、３１３…識別記号記録部、３１４…レシート識別記号入力部、３１５…照合部、３１６…特定部、３１７…料理レシピ表示処理制御部、３１８…料理レシピ印刷処理制御部、３２１…制御部、４０…ＰＯＳ端末、４０１…ネットワークＩ／Ｆ、４０２…読取装置、４０３…操作パネル、４０４…表示パネル、４０５…画像形成装部、４１１…材料割引率データベース、４１２…識別記号生成部、４１３…送受信処理制御部、４１４…レシート印刷処理制御部、４１５…計算部、５０，５０’…料理レシピ画面、５１…料理イメージ領域、５２…材料領域、５３…メニュー選択ボタン、５４…検索ボックス、６０…料理レシピシート、６１…シート識別記号、６２…料理イメージ領域、６３…材料領域、６４…調理手順領域、７１…料理レシピテーブル、７２…材料割引率テーブル、８０…レシート、８１…レシート識別記号、８２…合計金額、８３…材料の名称。
【図１】
2011118590.tif 000003
【図２】
2011118590.tif 000004
【図３】
2011118590.tif 000005
【図４】
2011118590.tif 000006
【図５】
2011118590.tif 000007
【図６】
2011118590.tif 000008
【図７】
2011118590.tif 000009
【図８】
2011118590.tif 000010
【図９】
2011118590.tif 000011
【図１０】
2011118590.tif 000012
【図１１】
2011118590.tif 000013
【図１２】
2011118590.tif 000014
【図１３】
2011118590.tif 000015
【図１４】
2011118590.tif 000016